【手続補正書】
【提出日】平成15年7月22日(2003.7.22)
【手続補正１】
【補正対象書類名】明細書
【補正対象項目名】発明の名称
【補正方法】変更
【補正の内容】
【発明の名称】中心投影法を用いた疑似三次元画像表示におけるスケール表示装置及び管状部位の切り口面積計測装置ならびに管状部位の体積計測装置
【手続補正２】
【補正対象書類名】明細書
【補正対象項目名】特許請求の範囲
【補正方法】変更
【補正の内容】
【特許請求の範囲】
【請求項１】
中心投影法を用いて表示された疑似三次元画像上で指定された任意の２点に基づき、複数の目盛りの付いたスケールを当該疑似三次元画像上に重ねて表示する手段を備えることを特徴とする中心投影法を用いた疑似三次元画像表示におけるスケール表示装置。
【請求項２】
前記複数の目盛りは、疑似三次元画像上で指定された２点間の距離の間を一定数の目盛りで等分割して得られることを特徴とする請求項１に記載の中心投影法を用いた疑似三次元画像表示におけるスケール表示装置。
【請求項３】
前記複数の目盛りは、疑似三次元画像上で指定された２点間の距離の間に、一定間隔の目盛りを付けていくことで得られることを特徴とする請求項１に記載の中心投影法を用いた疑似三次元画像表示におけるスケール表示装置。
【請求項４】
中心投影法を用いて表示された疑似三次元画像における管状部位上で指定された任意の３点を通る平面を求める手段と、
この平面上で、前記疑似三次元画像を構成する断層像上の画素点よりも前記中心投影法における視点に近い平面部分の面積として前記管状部位の切り口面積を算出する手段と、
を備えることを特徴とする中心投影法を用いた疑似三次元画像表示における管状部位の切り口面積計測装置。
【請求項５】
中心投影法を用いて表示された疑似三次元画像における管状部位上で指定された任意の３点を通る第一の平面と、他の３点を通る第二の平面とを求める手段と、
前記各平面上で、前記疑似三次元画像を構成する断層像上の画素点よりも前記中心投影法における視点に近い平面部分の面積として各平面上における前記管状部位の切り口面積をそれぞれ算出する手段と、
算出された各平面上における前記管状部位の切り口面積を用いて、各平面上における切り口間の管状部位の体積を算出する手段と、
を備えることを特徴とする中心投影法を用いた疑似三次元画像表示における管状部位の体積計測装置。
【手続補正３】
【補正対象書類名】明細書
【補正対象項目名】０００１
【補正方法】変更
【補正の内容】
【０００１】
【発明の属する技術分野】
本発明は、中心投影法を用いた疑似三次元画像表示におけるスケール表示装置及び管状部位の切り口面積計測装置ならびに管状部位の体積計測装置に関するものである。


【手続補正４】
【補正対象書類名】明細書
【補正対象項目名】０００７
【補正方法】変更
【補正の内容】
【０００７】
請求項１〜３の発明の目的は、表示された三次元画像上の任意の２点間内における距離計測が誤りなく行え、三次元画像による観察，診断，処置等での使い勝手を向上させ得る中心投影法を用いた疑似三次元画像表示におけるスケール表示装置を提供することにある。


【手続補正５】
【補正対象書類名】明細書
【補正対象項目名】０００８
【補正方法】変更
【補正の内容】
【０００８】
請求項４及び５の発明の目的は、表示された三次元画像における管状部位の任意箇所の切り口面積や、管状部位の任意の２箇所間の体積を簡便に求めることができ、三次元画像による観察，診断，処置等での使い勝手を向上させ得る中心投影法を用いた疑似三次元画像表示における管状部位の切り口面積計測装置ならびに管状部位の体積計測装置を提供することにある。


【手続補正６】
【補正対象書類名】明細書
【補正対象項目名】０００９
【補正方法】変更
【補正の内容】
【０００９】
【課題を解決するための手段】
請求項１〜３の発明の目的は、中心投影法における視点位置から中心投影法の実行空間に設定されたスケール（投影前のスケール）の各目盛りまでの距離に応じた間隔で各目盛り（投影後のスケールの各目盛り）を表示するものであり、中心投影法を用いて表示された疑似三次元画像上で指定された任意の２点に基づき、複数の目盛りの付いたスケールを当該疑似三次元画像上に重ねて表示する手段を備えることにより達成される。また、前記複数の目盛りは、疑似三次元画像上で指定された２点間の距離の間を一定数の目盛りで等分割して得られるものであってもよく、あるいは、疑似三次元画像上で指定された２点間の距離の間に、一定間隔の目盛りを付けていくことで得られるものであってもよい。
【手続補正７】
【補正対象書類名】明細書
【補正対象項目名】００１１
【補正方法】変更
【補正の内容】
【００１１】
請求項４の発明の目的は、中心投影法を用いて表示された疑似三次元画像における管状部位上で指定された任意の３点を通る平面を求める手段と、この平面上で、前記疑似三次元画像を構成する断層像上の画素点よりも前記中心投影法における視点に近い平面部分の面積として前記管状部位の切り口面積を算出する手段とを備えることにより達成される。また請求項５の発明の目的は、中心投影法を用いて表示された疑似三次元画像における管状部位上で指定された任意の３点を通る第一の平面と、他の３点を通る第二の平面とを求める手段と、前記各平面上で、前記疑似三次元画像を構成する断層像上の画素点よりも前記中心投影法における視点に近い平面部分の面積として各平面上における前記管状部位の切り口面積をそれぞれ算出する手段と、算出された各平面上における前記管状部位の切り口面積を用いて、各平面上における切り口間の管状部位の体積を算出する手段と、を備えることにより達成される。
【手続補正８】
【補正対象書類名】明細書
【補正対象項目名】００１２
【補正方法】変更
【補正の内容】
【００１２】
請求項４の発明では、上記平面部分の面積を管状部位の任意箇所の切り口面積として求める。ここで、上記平面部分の面積は疑似三次元画像を構成した際の座標データを用い、例えばその平面部分を複数の三角形に分割して個々の三角形の面積を求め、その面積の総和として求めるというように簡便に求められる。これにより、管状部位の任意箇所の切り口面積は簡便に求められ、例えばＩＶＲ術技における適正なステントの選択に有用である等、三次元画像による観察，診断，処置等での使い勝手が向上する。また、請求項５の発明では、管状部位の任意の２箇所の切り口面積を求め、得られた２箇所の切り口面積を用いて管状部位における当該２箇所間の体積を簡便に求められる。これにより、三次元画像による観察，診断，処置等での使い勝手が向上する。
【手続補正９】
【補正対象書類名】明細書
【補正対象項目名】００５８
【補正方法】変更
【補正の内容】
【００５８】
【発明の効果】
請求項１〜３の発明によれば、表示された疑似三次元画像の実際の大きさ（投影前における積上げ三次元画像での大きさ）に合わせた間隔で目盛りが付けられたスケールを表示でき、上記三次元画像上の任意の２点間内における距離計測が誤りなく行える。すなわち、上記２点間内での任意の２点間距離、例えば腫瘍等の患部の端から端までの距離、つまり患部の大きさがスケールに付けられた目盛りを一目見るだけで分かる。また、スケールが上記三次元画像の奥行方向に設定された場合、スケールの目盛り間隔の変化を見るだけで、どの方向が手前側で、どの方向が奥側かの判断もつき（目盛り間隔の広いほうが手前側、狭いほうが奥側と判断でき）、三次元画像による観察，診断，処置等での使い勝手が向上するという効果がある。


【手続補正１０】
【補正対象書類名】明細書
【補正対象項目名】００５９
【補正方法】変更
【補正の内容】
【００５９】
請求項４及び５の発明によれば、表示された三次元画像における管状部位の任意箇所の切り口面積や管状部位の任意の２箇所間の体積を簡便に求めることができ、三次元画像による観察，診断，処置等での使い勝手が向上するという効果がある。